(57)【特許請求の範囲】
【請求項１】
負荷と、該負荷を駆動制御する制御手段と、前記制御手段への電力供給を制御する第１のスイッチと、前記第１のスイッチと並列に接続され、前記制御手段に通電されると該制御手段によってオンされる第２のスイッチとを有する電気機器において、
操作部材と、
該操作部材の動作量が伝達されるとともに、この動力を受けている間だけ前記第１のスイッチをオンさせる第１のスイッチ切り換え部材と、
前記操作部材の動力を電気信号に変換する変換手段と、
前記変換手段の出力信号に応じて設定された時間の計時を行うタイマ手段とを備え、
前記負荷の駆動と共に前記タイマ手段は計時を開始し、前記タイマ手段の設定された時間の計時に基づいて前記制御手段は前記負荷を停止させ前記第２のスイッチをオフさせることを特徴とする電気機器。
【請求項２】
前記第１のスイッチは常開のプッシュスイッチであり、前記操作部材は軸の一端に固定され該軸を中心に回動する操作ツマミであり、前記第１のスイッチ切り換え部材は前記軸に貫通されて固定されており、前記変換手段は前記軸を介して伝達された前記操作ツマミの回動量を電気信号に変換することを特徴とする請求項１に記載の電気機器。
【請求項３】
前記第１のスイッチは一端が位置固定され他端に凸部を形成したレバーを有しており、前記第１のスイッチ切り換え部材は円筒状で側面に複数の溝を一定間隔をおいて形成したカムであり、前記レバーの凸部が前記カムの溝同士の間の頂部に当接するときは前記レバーが前記第１のスイッチの可動部を押圧することを特徴とする請求項２に記載の電気機器。
【請求項４】
前記操作ツマミは押動可能であって付勢手段により押動方向と反対の方向に付勢力を受けており、前記操作ツマミの押動によって変位した前記第１のスイッチ切り換え部材が前記第１のスイッチ部の可動部を押圧するように前記第１のスイッチが配置されていることを特徴とする請求項２に記載の電気機器。
【請求項５】
前記制御手段が通電されているときのみ表示がなされる表示手段を設けたことを特徴とする請求項１乃至４のいずれかに記載の電気機器。
【発明の詳細な説明】
【０００１】
【発明の属する技術分野】
本発明は電子レンジなどの電気機器に関するものである。
【０００２】
【従来の技術】
図７に従来のマイコン式電子レンジの回路図を示す。２１は商用電源のコンセント（図示せず）に差し込むための差込みプラグである。２２は供給された電力の電圧を低下させる低圧トランスであり、２３は交流電圧を整流して直流電圧にする整流回路である。マイコン２４にはこれら低圧トランス２２と整流回路２３を介して電力が供給される。また、リレーコイル３１，３２はトランジスタを介してマイコン２４に接続されている。
【０００３】
マグネトロン２５とそのほかの負荷、例えば操作パネル２７はそれぞれリレー接点ＲＹ３１，ＲＹ３２を介して差込みプラグ２１に接続されている。マイコン２４によってリレーコイル３１，３２に通電されると、各リレーコイル３１，３２で発生するマイクロ波によって対応するリレー接点ＲＹ３１，ＲＹ３２がオンとなり、各負荷２５，２７に通電される。尚、マグネトロン２５はドアスイッチＳＷ３３と直列に接続されている。該ドアスイッチＳＷ３３は電子レンジのドアが開成するとオフになり、マグネトロン２５への通電を遮断する。
【０００４】
上述したように、マイコン２４は各負荷２５，２７の駆動制御を行っており、例えば操作パネル２７の表示部２７ａに時刻や加熱モード、加熱時間、出力、メニュー名などを表示するために常に信号を送っている。また、操作パネル２７の各操作キー２７ｂからの入力信号の有無を常に読み取っている。さらに、調理の自動化のために設けられた湿度センサーやガスセンサー、重量センサーなど、センサー２８からの入力信号の有無を常に読み取っている。
【０００５】
従って、この電子レンジでは差込みプラグ２１を商用電源に接続するだけでマイコン２４に電力が供給され、常に上記の動作が行われている。このようなマグネトロン２５駆動時以外の待機時に消費される電力は電子レンジの通常のセットで１Ｗ以上、構成が複雑になって消費電力の多いセットになると１０Ｗに達するものもあり、非常に無駄となっていた。
【０００６】
待機時消費電力を抑えるために、特願平９−５１３７９号では必要なときのみマイコン２４に電力を供給することができる電子レンジについて開示している。図８には該電子レンジの回路図を示す。尚、図７に示す電子レンジと構成が同じものには同一の符号を付し、重複する説明は省略する。この電子レンジではマイコン２４はスイッチＳＷ３４を介して差込みプラグ２１に接続されており、このスイッチＳＷ３４にはリレー接点ＲＹ３０が並列に接続されている。
【０００７】
前記スイッチＳＷ３４は、食品を電子レンジの加熱庫に入れる際に行うドアの開成や、使用者による操作スイッチの押圧によってオンされるものであり、これによってマイコン２４に電力が供給される。そして、電力が供給されたマイコン２４ではリレーコイル３０に通電し、リレー接点ＲＹ３０をオンさせる。従って、この後ドアを閉成したり使用者による操作スイッチの開放によりスイッチＳＷ３４がオフになっても、マイコン２４にはリレー接点ＲＹ３０を介して電力が供給される。
【０００８】
上記構成の電子レンジでは、差込みプラグ２１を商用電源のコンセントに接続しただけではマイコン２４には通電されず、スイッチＳＷ３４によって必要なときのみマイコン２４へ通電される。また、該マイコン２４は通常動作モードと待機時節電モードとに設定することができ、この切り換えはスイッチＳＷ３５のオン／オフによってなされる。
【０００９】
待機時節電モードの場合、スイッチＳＷ３４のオンによってリレー接点ＲＹ３０がオンした後、所定時間が経過しても加熱動作の指示がされないとマイコン２４はリレーコイル３０への通電を遮断してリレー接点ＲＹ３０をオフさせる。従って、マイコン２４への通電は遮断される。
【００１０】
【発明が解決しようとする課題】
上記特願平９−５１３７９号の電子レンジでは、一旦マイコン２４へ通電すると、スイッチＳＷ３５をオンにして待機時節電モードに設定しておかなければ、マイコン２４へは通電されたままとなる。故に、待機時消費電力を抑えるにはスイッチＳＷ３５を操作してオンにしておくという手間を必要とする。従って、使用者がスイッチＳＷ３５の操作を忘れた場合を考慮すると、この電子レンジは確実に待機時消費電力を抑えることのできる構成であるとはいえない。
【００１１】
また、ドアの開閉をトリガとしてスイッチＳＷ３４をオン／オフするように構成した場合、ドアを開成しただけでマイコン２４に通電されて電力が消費される。
【００１２】
また、従来の電子レンジにおいて、センサーや加熱モードなどを設定するキー入力が設けられていない簡単な構成の場合でも、マイコンは加熱動作時間を設定するタイマー入力信号の有無を常に読み取らなければならず、マイコンへの通電は必要であった。つまり、待機時消費電力の生じる構成であった。
【００１３】
本発明は上記課題をかんがみてなされたもので、待機時における電力消費をなくした電気機器を提供することを目的とする。
【００１４】
【課題を解決するための手段】
上記目的を達成するために、請求項１の電気機器は、負荷と、該負荷を駆動制御する制御手段と、制御手段への電力供給を制御する第１のスイッチと、第１のスイッチと並列に接続され、制御手段に通電されると該制御手段によってオンされる第２のスイッチとを有する電気機器において、操作部材と、該操作部材の動力が伝達されるとともに、この動力を受けている間だけ第１のスイッチをオンさせる第１のスイッチ切り換え部材と、操作部材の動作量を電気信号に変換する変換手段と、変換手段の出力信号に応じて設定された時間の計時を行うタイマ手段とを備え、負荷の駆動と共にタイマ手段は計時を開始し、タイマ手段の設定された時間の計時に基づいて制御手段は負荷を停止させ第２のスイッチをオフさせることを特徴とする。
【００１５】
上記構成によると、まず使用者は操作部材を駆動させる。この動力によって第１のスイッチ切り換え部材は第１のスイッチをオンにし、制御手段に電力が供給される。そして、該制御手段は第２のスイッチをオンにする。この後、使用者が操作部材の駆動をやめて第１のスイッチがオフになっても、第２のスイッチがオンであることから引き続き制御手段には電力が供給される。
【００１６】
変換手段では操作部材の動作量を電気信号に変換しており、制御手段はこの電気信号に応じて負荷の駆動時間を設定する。そして、制御手段による負荷の駆動と共に、タイマ手段は設定された時間の計時を開始する。タイマ手段の計時が終了すると、制御手段は負荷の駆動を停止させて第２のスイッチをオフにする。これによって、制御手段への電力の供給は遮断される。
【００１７】
また、請求項２の電気機器は、請求項１に記載の電気機器において、第１のスイッチは常開のプッシュスイッチであり、操作部材は軸の一端に固定され該軸を中心に回動する操作ツマミであり、第１のスイッチ切り換え部材は軸に貫通されて固定されており、変換手段は軸を介して伝達された操作ツマミの回動量を電気信号に変換することを特徴とする。
【００１８】
上記構成によると、使用者は操作ツマミをつまんで軸を中心に回動させる。この軸の回転と共に第１のスイッチ切り換え部材が回転して、第１のスイッチの可動部が押圧される。変換手段では操作ツマミの回動量が軸を介して伝達されることにより電気信号が発生し、制御手段ではこの電気信号に応じて負荷の駆動時間を設定する。故に、使用者は負荷の駆動時間を所望のものとなるように操作ツマミの回動量を制御する。
【００１９】
また、請求項３の電気機器は、請求項２に記載の電気機器において、第１のスイッチは一端が位置固定され他端に凸部を形成したレバーを有しており、第１のスイッチ切り換え部材は円筒状で側面に複数の溝を一定間隔をおいて形成したカムであり、レバーの凸部がカムの溝同士の間の頂部に当接するときはレバーが第１のスイッチの可動部を押圧することを特徴とする。
【００２０】
上記構成によると、カムの回転によってレバーの凸部がカムの側面を摺動する。レバーの凸部がカムの溝の底部に嵌合するときは、第１のスイッチの可動部はレバーに当接している。そして、カムが回転して前記凸部がカムの溝同士の間に位置する頂部に当接すると、凸部が変位することによって一端が固定されたレバーは湾曲し、前記可動部はレバーによって押圧される。これによって、第１のスイッチはオンになる。さらにカムが回転すると前記凸部は再びカムの溝の底部に嵌合し、第１のスイッチの可動部はレバーによる押圧から開放されてオフになる。
【００２１】
また、請求項４の電気機器は、請求項２に記載の電気機器において、操作ツマミは押動可能であって付勢手段により押動方向と反対の方向に付勢力を受けており、操作ツマミの押動によって変位した第１のスイッチ切り換え部材が第１のスイッチ部の可動部を押圧するように第１のスイッチが配置されていることを特徴とする。
【００２２】
上記構成によると、まず使用者は操作ツマミを押圧する。これによって、この操作ツマミと一体になっている軸及び第１のスイッチ切り換え部材は後方に変位し、第１のスイッチ切り換え部材は第１のスイッチの可動部を押圧する。また、使用者は操作ツマミを押圧したままこれを回動することにより、操作ツマミの回動量は軸を介して変換手段に伝達される。そして、使用者が操作ツマミの回動をやめて押圧を開放すると、操作ツマミとこれに一体となっている軸及びカムが付勢力によって元の位置に戻る。従って、第１のスイッチの可動部の押圧は開放され、第１のスイッチはオフとなる。
【００２３】
また、請求項５の電気機器は、請求項１乃至４のいずれかに記載の電気機器において、制御手段に通電されているときのみ表示がなされる表示手段を設けたことを特徴とする。故に、この電気機器は制御手段が通電されていないときは何も表示されないものである。
【００２４】
【発明の実施の形態】
以下、本発明の実施形態について図面を参照しながら説明する。尚、実施形態を示した各図と上記図７及び図８において、同じ構成のものには同一の符号を付し、重複する説明は省略する。
【００２５】
本実施形態は本発明を電子レンジに適用したものであり、図１は該電子レンジの外観斜視図である。１は電子レンジ本体であり、該本体１の前面には食品を本体１内部の加熱庫に出し入れするための開閉自在なドア２が設けられている。また、本体１の前面にはドア２に隣接して操作部３が設けられている。この操作部３には操作ツマミ４と発光ダイオード５が設けられている。
【００２６】
図２は操作部３付近の側断面図である。操作ツマミ４の中心には軸６の一端が固定されている。この軸６は、操作部３の前面板３ａの開口部３ｂから電子レンジ本体１内部に挿入されている。本体１内部では軸６の中程に円筒状のカム７が貫通して固定されている。
【００２７】
スイッチ８はカム７に近接して設けられている。尚、カム７とスイッチ８の詳細な構成については後述する。また、軸６の他端はロータリエンコーダ９に取り付けられている。該ロータリエンコーダ９はその後方に位置する回路基板１０に固定されており、軸６の回転、即ち操作ツマミ４の回動量を電気信号に変換するものである。
【００２８】
上記スイッチ８とカム７との動作を説明する。図３はスイッチ８とカム７とを電子レンジの前方から見たときの説明図である。カム７は円筒状であり、図３（イ）に示すようにその中心には軸６が貫通している。また、カム７の側面には複数の溝７ａが一定間隔をおいて形成されている。
【００２９】
一方、スイッチ８は常開のプッシュスイッチであり、カム７に近接した側面には可動部８ａが設けられている。また、板バネから成るレバー１１は可動部８ａが設けられている側面において、該可動部８ａよりも下方にその一端が固定されており、そこから斜め上方に向かって伸びている。該レバー１１の他端はカム７側に膨らむように滑らかな凸部１１ａが形成されている。
【００３０】
図３（イ）に示すように、最初、レバー１１の凸部１１ａはカム７の溝７ａに嵌合している。このとき、スイッチ８の可動部８ａはカム７の反対側からレバー１１に当接しながら開放された状態にある。今、使用者が操作ツマミ４（図２参照）をつまんで一定方向、例えば時計方向に回動させると、軸６と共にカム７も時計方向に回転する（図３（イ）中、矢印Ａ）。
【００３１】
そして、レバー１１の凸部１１ａはカム７の側面に摺動して、図３（ロ）に示すようにカム７の溝７ａ同士の間の頂部７ｂに位置する。このとき、レバー１１は押し曲げられて、スイッチ８の可動部８ａはレバー１１に押圧される。カム７がさらに回転するとカム７とレバー１１との関係は再び図３（イ）の状態になり、スイッチ８の可動部８ａの押圧は開放される。尚、カム７が停止しているときは常にレバー１１の凸部１１ａがカム７の溝７ａに嵌合している。
【００３２】
図２に示すように、上面板３ａの開口部３ｂの縁部では上面板３ａの他の部分よりも厚さの薄い部分を介して延伸された弾性片３ｃが形成されており、その先端に設けられた凸部３ｄがカム７の前面に当接している。図３に示すように、カム７の前面には複数の凹部７ｃが円周方向に並んで形成されている。この凹部７ｃは溝７ａと対応するように位置しており、カム７が停止しているときは凹部７ｃに前記弾性片３ｃの凸部３ｄが嵌合する。
【００３３】
ロータリエンコーダ９は軸６の回転によってクリック回転を行うものであり、カム７の溝７ａから隣接する溝７ａまでがロータリエンコーダ９の１クリックに対応している。尚、本実施形態では変換手段としてロータリエンコーダ９を用いた構成であるが、ボリュームなどの可変抵抗器を用いることも可能である。
【００３４】
次に、スイッチ８の押圧とロータリエンコーダ９の電気信号によって本実施形態の電子レンジではどのような動作がなされるのか説明する。図４は本実施形態の回路図であり、一部ブロック図となっている。マイコン２４はスイッチＳＷ８（図２中、スイッチ８）を介して差込みプラグ２１に接続されている。このスイッチＳＷ８にはリレー接点ＲＹ３０が並列に接続されている。
【００３５】
また、マイコン２４にはそれぞれトランジスタを介してリレーコイル３０，３１，３２が接続されており、さらにロータリエンコーダ９が接続されている。このロータリエンコーダ９は、クリック回転により２つの電気接点がオン／オフを繰り返してパルスが発生する。一方、発光ダイオード５及びマグネトロン２５は、それぞれリレー接点ＲＹ３１，ＲＹ３２を介して差込みプラグ２１に接続されている。また、２６はマイコン２４で設定された時間を計時するタイマである。
【００３６】
図５は本実施形態の電子レンジの加熱動作を表すフローチャートであり、図４を参照しながら該フローチャートについて説明する。まず、使用者は予めドア２（図１参照）を開成して食品を加熱庫内に入れ、ドア２を閉成しておく。ステップ＃５では使用者の操作により操作ツマミ４が回動し、ステップ＃１０ではスイッチＳＷ８がオンする。
【００３７】
スイッチＳＷ８のオンによって、ステップ＃１５ではマイコン２４に電力が供給される。マイコン２４はその立ち上がりを早くするためにデータを少なく、またプログラムを簡略に構成したものであり、ここでは通電後、数百ｍｓ以下の短い時間で動作することができる。ステップ＃２０では動作したマイコン２４によって、まずリレーコイル３０，３１，３２に通電され、リレー接点ＲＹ３０，ＲＹ３１，ＲＹ３２がオンする。リレー接点ＲＹ３０がオンすることによって、マイコン２４への通電が自己保持される。
【００３８】
また、リレー接点ＲＹ３２がオンすることによってマグネトロン２５に通電され、マグネトロン２５の駆動が開始する。さらに、リレー接点ＲＹ３１がオンすることによって発光ダイオード５に通電され、電子レンジ１の操作部３（図１参照）で発光ダイオード５が発光する。これによって、マイコン２４に通電されたことを使用者に知らせる。
【００３９】
次に、ステップ＃２５でマイコン２４はロータリエンコーダ９から送信されるパルス数を読み取り、該パルス数からマグネトロン２５の駆動時間、即ち食品の加熱時間（Ｔ０）を設定する（ステップ＃３０）。人間の動作は通常、マイコン処理速度より遅いため、使用者が操作ツマミ４を回し終えるまでに上記ステップ＃１５からステップ＃３０までの処理がなされる。尚、以下の表１ではロータリエンコーダ９のパルス数と加熱時間（Ｔ０）との関係の一例を表している。
【００４０】
【表１】
0003545600.tif 000002
【００４１】
ステップ＃３５ではタイマ２６が前記駆動時間の計時を開始し、ステップ＃４０で前記駆動時間が経過するとタイマ２６からマイコン２４に計時終了の信号が送信される。そして、ステップ＃４５でマイコン２４はリレー接点ＲＹ３０，ＲＹ３１，ＲＹ３２をオフする。これによって、マグネトロン２５及び発光ダイオード５への通電は遮断されて加熱が終了し、マイコン２４の動作も停止する。
【００４２】
尚、本実施形態では表示手段として発光ダイオード５を設けているが、この発光ダイオード５のほかにマイコン２４でマグネトロン２５の駆動時間（Ｔ０）が求められたときにこれを表示するための表示部を設けてもよい。また、マグネトロン２５の停止と共にリレー接点ＲＹ３０をオフしたが、低圧トランス２２に電力を供給するためにマグネトロン２５停止の１分後にリレー接点ＲＹ３０をオフしてもよい。
【００４３】
さらに、上記フローチャートでは操作ツマミ４を操作する前に予めドア２を開閉したが、操作ツマミ４によってタイマ２６の設定を行ってからドア２を開閉することも可能である。このとき、マグネトロン２５にはドアスイッチＳＷ３３が直列に接続されているため、タイマ２６の設定を行った後にドア２を閉成するとマグネトロン２５は駆動を開始する。
【００４４】
上述したように、本実施形態の電子レンジでは、操作ツマミ４を操作するだけでマイコン２４の電力供給が自己保持され、マグネトロン２５が駆動し、マグネトロン２５の駆動時間が設定されてタイマ２６の計時が開始する。そして、タイマ２６の計時が終了すると自動的にマグネトロン２５が停止し、マイコン２４への電力供給が遮断される。故に、操作すべき部材が１つで済むという非常に簡単な構成であり、またマグネトロン２５の駆動時以外は確実にマイコン２４への通電が遮断される。
【００４５】
また、表示手段としては発光ダイオード５が設けられているだけであり、この発光ダイオード５はマイコン２４の駆動中のみ点灯する。故に、従来の電子レンジでは時刻などを常時表示するのでマグネトロン２５の駆動時以外でも電力を消費していたが、本実施形態ではそのような電力消費は生じない。もちろん、センサーも設けられていないので待機時消費電力はゼロになる。さらに、従来技術のようにドア２の開成をトリガとして制御手段への電力を供給するものではないので、待機時にドア２の開閉を行っても消費電力はゼロである。
【００４６】
また、待機時マイコン２４は電源から開放されているため、電源に雷などのサージノイズが混入してもマイコン２４につながらず、誤動作は起きない。故に、本実施形態の電子レンジは安全性の高いものである。
【００４７】
次に、本発明に係る第２実施形態について説明する。本実施形態は操作ツマミ及びプッシュスイッチの構成と、ロータリエンコーダへの動力伝達の構成が第１実施形態と異なるものであり、これについて説明する。尚、電気回路やフローチャートについては第１実施形態と同様である。
【００４８】
図６は第１実施形態の図２に対応するものであり、第２実施形態の電子レンジの操作部３（図１参照）付近の側断面図である。操作ツマミ１４の中心には軸１６の一端が固定されている。この軸１６には操作ツマミ１４と前面板３ａとの間にバネ１２が取り付けられており、操作ツマミ１４に対して前方向に付勢力を与えている。また、本体内部では軸１６の中程に円形のスイッチ押圧板１７が貫通して固定されている。
【００４９】
スイッチ８には可動部８ａの前部にスイッチ８に一端が固定されたレバー１１が当接しており、該レバー１１はスイッチ押圧板１７の背面にその他端が当接している。また、軸１６の他端では軸１６の径が小さくなった差込部１６ａが形成されている。一方、回路基板１０に固定されているロータリエンコーダ９ではその前面に軸部９ａが設けられており、該軸部９ａの先端には前記差込部１６ａを差し込むための凹部９ｂが形成されている。
【００５０】
使用者は、まず操作ツマミ１４を押圧する。これによって、軸１６とスイッチ押圧板１７は後方に変位する。スイッチ押圧板１７に当接していたレバー１１は一端が固定されていることから押し曲げられ、該レバー１１に当接していたスイッチ８の可動部８ａを押圧する。故に、スイッチ８はオンになる。また、軸１６の差込部１６ａがロータリエンコーダ９の凹部９ｂに差し込まれ、軸１６とロータリエンコーダ９の軸部９ａが一体となる。
【００５１】
次に、使用者は操作ツマミ１４を押圧したままこれを回動させる。これによって、操作ツマミ１４の回動が軸１６及び軸部９ａを介してロータリエンコーダ９に伝達され、操作ツマミ１４の回動量を電気信号に変換する。尚、軸１６とロータリエンコーダ９の軸部９ａの係合手段は軸方向に着脱自在であり、軸１６と軸部９ａが共に回転する構成であればどのようなものでもよい。
【００５２】
使用者が操作ツマミ１４の回動を終了して操作ツマミ１４から手を離すと、バネ１２の付勢力により操作ツマミ１４は元の位置に戻る。これに伴って、軸１６及びスイッチ押圧板１７も元の位置に戻るので、スイッチ８の可動部８ａは開放されてスイッチ８はオフとなる。さらに、軸１６はロータリエンコーダ９の軸部９ａから離脱する。
【００５３】
尚、本実施形態は操作ツマミ１４を押圧したときにスイッチ８をオンにする構成であるが、操作ツマミ１４を引き出す構成として該操作ツマミ１４を引き出したときにスイッチ８をオンにするようにしてもよい。
【００５４】
上記各実施形態とも本発明を電子レンジに適用した場合のものであるが、一般に電気機器に同様に適用することができる。また、上記の各実施形態では電源に交流電源を用いたものを示しているが、直流電源でも同様に実施することができる。
【００５５】
【発明の効果】
以上説明したように、請求項１の電気機器では操作部材を操作すると、制御手段への電力供給が自己保持されて負荷が駆動し、負荷の駆動時間が設定されてタイマ手段が計時を開始する。そして、タイマ手段の計時が終了すると負荷が停止し、制御手段への電力供給が遮断される。故に、待機時消費電力は生じない。
【００５６】
また、制御手段への電力供給、負荷の駆動とタイマ手段の計時開始を操作部材だけで行うことができるので繁雑な操作を必要とせず、構成も簡単になる。また、操作部材の操作によってのみ制御手段へ通電がなされることから、他の部材の操作、例えばドアの開閉などをトリガとして制御手段へ通電する構成に比べて不用意な電力消費が発生しない。
【００５７】
また、請求項２の電気機器では、操作ツマミの回動を１本の軸を介して第１のスイッチ切り換え部材、及び変換手段へ伝達するものである。また、第１のスイッチ切り換え部材と変換手段は、いずれも軸から伝達された回転力によってそれぞれ第１のスイッチの押圧、及び電気信号への変換を行う。故に、簡単な構成でありながら、１回の操作より複数の動作を行うことができる。
【００５８】
また、請求項３の電気機器では、簡単な構成でありながら軸の回転力をプッシュスイッチの可動部を押圧する力に変換している。
【００５９】
また、請求項４の電気機器では、操作ツマミに与えられた動力を１本の軸を介して第１のスイッチ切り換え部材、及び変換手段へ伝達するものである。故に、簡単な構成でありながら、１回の操作より複数の動作を行うことができる。
【００６０】
また、請求項５の電気機器では、制御手段に通電されているときのみ表示がなされる。故に、制御手段に通電されていないときには何も表示されないので、表示手段によって待機時に電力が消費されることがない。
【図面の簡単な説明】
【図１】本発明に係る第１実施形態の電子レンジの外観斜視図。
【図２】第１実施形態における操作部付近の側断面図。
【図３】カムによってスイッチを押圧する構成を示した説明図。
【図４】第１実施形態の電気回路図。
【図５】第１実施形態のフローチャート。
【図６】本発明に係る第２実施形態の電子レンジにおける操作部付近の側断面図。
【図７】従来技術の電気回路図。
【図８】従来技術の他の例の電気回路図。
【符号の説明】
４    操作ツマミ
５    発光ダイオード
６    軸
７    カム
８，ＳＷ８    スイッチ
９    ロータリエンコーダ
１０    回路基板
２１    差込みプラグ
２２    低圧トランス
２３    整流回路
２４    マイコン
２５    マグネトロン
２６    タイマ
３０，３１，３２    リレーコイル
ＲＹ３０，ＲＹ３１，ＲＹ３２    リレー接点
【図１】
0003545600.tif 000003
【図２】
0003545600.tif 000004
【図３】
0003545600.tif 000005
【図４】
0003545600.tif 000006
【図５】
0003545600.tif 000007
【図６】
0003545600.tif 000008
【図７】
0003545600.tif 000009
【図８】
0003545600.tif 000010